(57)【要約】【課題】患者を空き病室に移動させる際に他の医療従事者を適切に呼ぶことができるようにする。【解決手段】病室の定員および病室の入院患者の人数を示す病室情報を病室毎に記憶しておき、ベッドに無線送信機３０を取り付け、ベッド近傍に他の医療従事者を呼び出すためのスタッフ呼出操作部１２を取り付けて、無線送信機３０が病室の出入口を通過した際に無線信号を読み取る無線読み取り装置２０を出入口近傍に取り付けておく。スタッフ呼出操作部１２が操作され、病室の定員および入院患者の人数が二人以上の病室の出入口で無線読み取り装置２０が無線信号を読み取った後に、同じ無線送信機３０からの無線信号を他の病室の無線読み取り装置２０が読み取った場合に、後で無線送信機３０からの無線信号を受信した病室にて他の医療従事者の応援を要請していることをナースコール親機１で報知するようにしている。【選択図】図２
2017127344.tif 000002
【特許請求の範囲】
【請求項１】
医療従事者が他の医療従事者の応援を要請していることを、病室を特定するための病室識別情報とともに報知する報知部と、前記病室の定員および前記病室に入院している患者の人数を示す病室情報を病室毎に記憶する記憶部と、前記報知部を動作させる制御部とを有するナースコール親機と、
前記病室に設置されるベッドに取り付けられ、他のベッドを識別可能とする子機識別情報を含む無線信号を送信する無線送信機と、
前記ベッド近傍に取り付けられ、他の医療従事者を呼び出すために操作されるスタッフ呼出操作部と、
前記病室の出入口に取り付けられており、前記出入口を通過した前記無線送信機から前記無線信号を読み取り、前記無線信号に前記病室識別情報を付加する無線読み取り装置と、
前記スタッフ呼出操作部を接続し、このスタッフ呼出操作部が操作された場合に、このスタッフ呼出操作部が設置されているベッドを識別する子機識別情報を含むスタッフ呼出信号を生成するとともに、前記無線読み取り装置を接続し、前記無線信号を入力するインターフェースと、
を備えたナースコールシステムであって、
前記インターフェースは、前記スタッフ呼出操作部が操作され、前記無線読み取り装置から前記無線信号を入力すると、生成したスタッフ呼出信号に含まれる子機識別情報と、前記無線読み取り装置から入力した無線信号に含まれる子機識別情報が一致するか否かを判定し、両者が一致した場合に、前記無線信号を前記ナースコール親機へ出力し、
前記制御部は、前記無線読み取り装置から前記無線信号を入力すると、無線信号に含まれる子機識別情報および病室識別情報を抽出するとともに前記記憶部を参照し、前記無線読み取り装置が取り付けられている病室の定員および入院している患者の人数が二人以上であるか否かを判定する第一の制御と、前記第一の制御にて前記病室の定員および入院している患者の人数が二人以上であると判定した場合に、抽出した子機識別情報と同じ子機識別情報を含む無線信号を他の病室に設置されている無線読み取り装置から入力したか否かを判定する第二の制御と、前記第二の制御にて入力したと判定した場合に、抽出した病室識別情報を用いて前記報知部を動作させることを特徴とするナースコールシステム。
【発明の詳細な説明】
【技術分野】
【０００１】
本発明は、患者のベッドの近傍に居る医療従事者が他の医療従事者の応援を要請するためのナースコールシステムに関する。
【背景技術】
【０００２】
一般に、病院や介護施設などでは、ナースコールシステムが用いられている。ナースコールシステムは、病院に入院している患者が看護師などのサポートを必要とする際、または介護施設に入居している被介護者が介護師などのサポートを必要とする際に、患者や被介護者（以下、これらをまとめて患者と記載する）が呼出操作部を操作することによって看護師や介護師（以下、これらをまとめて医療従事者と記載する）を呼び出すことができるように成されたシステムである。
【０００３】
多くのナースコールシステムは、病室内のベッドの近傍やトイレ、浴室などに設置され、ボタン状の呼出操作部を備えるナースコール子機と、医療従事者が常駐するナースステーションに設置され、患者からの呼び出しを報知するナースコール親機と、病室や介護室などの各部屋（以下、これらをまとめて病室と記載する）の出入口付近の廊下側に設置され、病室内の患者の氏名を表示したり、病室内の患者が呼び出しを行ったりしていることを表示する廊下灯と、通話やデータの送受信に関する制御を行う制御機とを備えて構成されている。また、上述した構成に加えて、医療従事者が携行するＰＨＳ（Personal Handy phone System）端末などの携帯端末とＰＢＸ（Private Branch Exchange：電話交換機）とを備えたナースコールシステムも提供されている。
【０００４】
このようなナースコールシステムでは、ナースコール子機の呼出操作部が操作されると、ナースコール子機にて生成された呼出信号が廊下灯を介してナースコール親機へ出力される。ナースコール親機や携帯端末では、患者から呼び出しが行われたことを音声などにより報知するとともに、呼び出しを行った患者（実際には病室番号を含むベッド番号）を特定するための情報をディスプレイ上に表示する。この報知を把握した医療従事者は、ナースコール親機に設置されているハンドセットをオフフックしたり、自身が携行している携帯端末をオフフックしたりすることで、呼び出しに対して応答することができる。ここで、呼び出しに対して応答が行われると、ナースコール親機や携帯端末で行われていた報知は停止する。
【０００５】
応答を行った医療従事者は、ナースコール子機の呼出操作部を操作した患者（換言すると、呼び出しを行った患者）の居る病室へ赴き、患者の状況を確認する。しかしながら、患者の居る病室へ赴いた医療従事者では、患者に対応することができない場合が考えられる。これは、患者の容体が急変しているような場合などが考えられる。また、ナースコール子機による呼び出しとは関係なく、医療従事者が巡視している最中などに、患者の溶体が急変する場合も考えられる。
【０００６】
上述した何れの場合も、医療従事者は、ナースコール子機またはナースコール子機の近傍に設けられたスタッフ呼出操作部（緊急呼出操作部とも呼ばれる）を操作する。すると、スタッフ呼出操作部にてスタッフ呼出信号が生成され、ナースコール親機へ出力される。ナースコール親機や携帯端末では、医療従事者から他の医療従事者の応援を要請する呼び出しが行われたことを音声などにより報知するとともに、呼び出しが行われた場所（実際には病室番号を含むベッド番号）を特定するための情報をディスプレイに表示する。この報知を把握した他の医療従事者は、ナースコール親機に設置されているハンドセットをオフフックしたり、自身が携行している携帯端末をオフフックしたりすることで、呼び出しに応答することができる。ここでも、呼び出しに対して応答が行われると、ナースコール親機や携帯端末で行われていた報知は停止する。
【０００７】
ところで、患者の容体が急変しているような場合に、病室内に他の患者が居る状態で救命処置を行うことを避けるため、急変を起こしている患者を空いている病室に移動させてから救命処置を行うケースがある。このケースでは、医療従事者がスタッフ呼出操作部を操作した後に空いている病室に患者を移動させるため、応援に来た医療従事者がどの病室へ行って良いのかわからなくなってしまうという問題があった。一方、医療従事者が空いている病室に患者を移動させてから、その病室のスタッフ呼出操作部を操作した場合には、医療従事者が空いている病室に完全に入ってからスタッフ呼び出しが行われるので、スタッフ呼び出しが遅れてしまうという問題があった。
【０００８】
このような問題を解決するために、下記のような技術が知られている（特許文献１を参照）。この特許文献１に記載の技術では、病室の定員および病室に入院している患者の人数を示す病室情報を病室毎に記憶しておき、ベッドに無線送信機を取り付け、無線送信機が病室の出入口を通過した際に無線信号を読み取る無線読み取り装置を出入口近傍に取り付けておいて、病室の定員および入院している患者の人数が二人以上の病室の出入口で無線読み取り装置が無線信号を読み取った後に、同じ無線送信機からの無線信号を入院している患者がゼロである病室の無線読み取り装置が読み取った場合に、その病室にて他の医療従事者の応援を要請していることをナースコール親機で報知するようにしている。
【先行技術文献】
【特許文献】
【０００９】
【特許文献１】特開２０１４−１６１４６７号公報
【発明の概要】
【発明が解決しようとする課題】
【００１０】
しかしながら、上述した従来技術では、病室の定員および入院している患者の人数が二人以上の病室の出入口で無線読み取り装置が無線信号を読み取った後に、同じ無線送信機からの無線信号を入院している患者がゼロである病室の無線読み取り装置が読み取った場合に、その病室にて他の医療従事者の応援を要請していることをナースコール親機で報知するようにしているので、単に病室の定員および入院している患者の人数が二人以上の病室から入院している患者がゼロである病室へベッドを移動させた場合でもスタッフ呼び出しの報知が行われてしまい、誤報が発生してしまうという問題があった。
【００１１】
本発明は、このような問題を解決するために成されたものであり、患者の容体が急変しているような場合に、その患者が居る病室に他に患者が居るときには、その患者を空いている病室に移動させるが、その際に、他の医療従事者の応援を適切に呼ぶことができるようにすることを目的とする。
【課題を解決するための手段】
【００１２】
上述した課題を解決するために、本発明では、病室の定員および病室に入院している患者の人数を示す病室情報を病室毎に記憶しておき、ベッドに無線送信機を取り付け、ベッド近傍に他の医療従事者を呼び出すためのスタッフ呼出操作部を取り付けておく。また、無線送信機が病室の出入口を通過した際に無線信号を読み取る無線読み取り装置を出入口近傍に取り付けておく。そして、スタッフ呼出操作部が操作され、病室の定員および入院している患者の人数が二人以上の病室の出入口で無線読み取り装置が無線信号を読み取った後に、同じ無線送信機からの無線信号を他の病室の無線読み取り装置が読み取った場合に、後で無線送信機からの無線信号を受信した病室にて他の医療従事者の応援を要請していることをナースコール親機で報知するようにしている。
【発明の効果】
【００１３】
上記のように構成した本発明によれば、他の患者が居るであろう病室から他の患者が居ない病室にベッドが移動し、かつ、移動前にスタッフ呼出操作部が操作された場合に、他の医療従事者の応援を要請する報知がナースコール親機にて行われるので、容体が急変している患者の他に患者が居る病室から空いている病室に患者をベッドごと移動させる際に、適切に他の医療従事者の応援を要請することができる。
【図面の簡単な説明】
【００１４】
【図１】本実施形態によるナースコールシステムの設置例を示す図である。
【図２】本実施形態によるナースコールシステムの構成例を示すブロック図である。
【図３】ナースコール親機の記憶部の記憶内容の例を示す図である。
【図４】本実施形態による患者の移動の動作例を示す図である。
【発明を実施するための形態】
【００１５】
以下、本発明の一実施形態を図面に基づいて説明する。図１は本実施形態によるナースコールシステムの設置例を示す図であり、図２は本実施形態によるナースコールシステムの構成例を示すブロック図である。図１において、第一の病室には、４床のベッドが設置されており、そのうちの３床は、入院患者によって使用されている。また、残りの１床は空きベッドとなっている。各ベッドの近傍の壁面にはウォールユニットが設けられており、ウォールユニットには有線式のナースコール子機が接続されている。このナースコール子機には、患者が医療従事者を呼び出すために操作する呼出操作部１０が設けられている。また、ウォールユニットには、医療従事者が他の医療従事者の応援を要請する際に操作するスタッフ呼出操作部１２が設けられている。また、ベッドには無線送信機３０が取り付けられており、病室の出入口近傍には無線読み取り装置２０が設置されている。
【００１６】
図２において、１はナースコール親機であり、医療従事者が常駐するナースステーションに設置される。なお、医療従事者が携行する携帯端末をナースコール親機１として使用するようにしても良い。ここで、ナースコール親機１は、制御部２、報知部３、記憶部４、親機インターフェース５を備えて構成されている。
【００１７】
インターフェース１１は、各病室に設置されており、ナースコール子機の呼出操作部１０、ウォールユニットのスタッフ呼出操作部１２、および無線読み取り装置２０を接続して、ナースコール親機１との間で通信を行うとともに、接続されている各機器の制御を行う。ここで、上述した各機器（呼出操作部１０、スタッフ呼出操作部１２、無線読み取り装置２０）は、第二の病室などの他の病室にも設置されている。また、インターフェース１１には、図示しないタイマーが内蔵されている。
【００１８】
患者によって呼出操作部１０が操作されると、インターフェース１１は呼出信号を生成する。このとき、呼出信号には、この呼出操作部１０（実際にはナースコール子機）を他の呼出操作部１０と識別するための子機識別情報が含まれる。
【００１９】
また、医療従事者によってスタッフ呼出操作部１２が操作されると、インターフェース１１はスタッフ呼出信号を生成する。このとき、スタッフ呼出信号には、このスタッフ呼出操作部１２（実際にはナースコール子機）を他のスタッフ呼出操作部１２と識別するための子機識別情報が含まれる。ここで、子機識別情報としては、ベッド番号（病室の番号と病室内でのベッドの通し番号とにより決まる）などが用いられる。
【００２０】
次に、ナースコール親機１の各構成要素について説明する。制御部２は、ナースコール親機１の各構成要素を後述するように制御するためのものであり、ＣＰＵ（Central Processing Unit）などにより構成されている。
【００２１】
報知部３は、スピーカーやディスプレイなどにより構成されており、患者が医療従事者を呼び出していること、および、医療従事者が他の医療従事者の応援を要請していることを、音声や表示にて報知するためのものである。ここで、報知部３は、患者からの呼び出しを示す報知と、医療従事者からの応援の要請を示す報知との報知パターンを異ならせる必要がある。また、報知部３の報知内容には、呼び出しを行なっている患者（実際にはベッド番号など）を示す子機識別情報が含まれる。
【００２２】
記憶部４は、各病室について、病室の定員およびその病室に現在病室に入院している患者の人数を示す病室情報を病室識別情報に関連付けて記憶している（図３を参照）。ここで、記憶部４に記憶されている病室情報は、患者の入退院やベッド移動などにより更新される。また、病室の定員が１である場合、その病室は個室であり、病室の定員が２以上である場合、その病室は多床室である。また、病室に現在入院している患者の人数が定員を超えることはない。また、入院している患者の人数が０の場合、その病室は空いていることになる。また、病室識別情報は、各病室を特定可能に識別するためのものであり、病室番号により決まる。ここで、病室番号は、上述したベッド番号の一部を構成している。
【００２３】
図３に示す例では、第一の病室の定員が４であり、第一の病室に現在入院している患者の人数が３となっている。また、第二の病室の定員は２であり、第二の病室に現在入院している患者の人数は０となっている。以下同様に、各病室の定員および現在入院している患者の人数が記憶部４に記憶されている。
【００２４】
親機インターフェース５は、ナースコール親機１と各病室に設置されているインターフェース１１とを接続して通信を行うためのものである。そして、親機インターフェース５は、呼出操作部１０によって生成される呼出信号、スタッフ呼出操作部１２によって生成されるスタッフ呼出信号、後述する無線読み取り装置２０によって生成される無線信号を入力する。
【００２５】
無線送信機３０は、無線読み取り装置２０の読み取り範囲に近付いた場合に電源が供給され、無線信号を送信する。この無線信号には、無線送信機３０が取り付けられているベッドを他のベッドと識別するための子機識別情報（例えば、ベッド番号など）が含まれる。なお、同一のベッドに設置されている無線送信機３０とスタッフ呼出操作部１２と呼出操作部１０との子機識別情報は同一となる。
【００２６】
無線読み取り装置２０は、読み取り範囲に近付いた無線送信機３０から送信された無線信号を読み取る。ここで、無線読み取り装置２０は、病室の出入口を通過した無線送信機３０から無線信号を読み取るようにすることが好ましい。また、無線信号を読み取った無線読み取り装置２０は、この無線読み取り装置２０が設置されている病室を特定するための病室識別情報を無線信号に付加し、インターフェース１１を介して、ナースコール親機１へ出力する。
【００２７】
次に、上述したように構成されたナースコールシステムの動作を図１、図２および図３を用いて説明する。医療従事者は、ナースコール子機の呼出操作部１０が操作された場合にナースコール親機１の報知部３にて行われる報知に応答することで、患者の病室（第一の病室）に赴く。なお、医療従事者の病室への訪問は、これだけに限らず、医療従事者が巡視を行った場合も含まれる。
【００２８】
医療従事者が第一の病室に居る状態で患者の容体が急変すると、医療従事者はスタッフ呼出操作部１２を操作する。すると、インターフェース１１に設けられたタイマーが動作を開始する。そして、医療従事者は、その患者をベッドごと第一の病室の外へ移動させる。このベッドが第一の病室の出入口を通過すると、ベッドに取り付けられている無線送信機３０に電源が供給され、無線送信機３０は無線信号を送信する（図４（Ａ）の状態）。
【００２９】
ここで、タイマーが計測した時間が所定時間内（例えば、３０秒以内など）である状態で、無線読み取り装置２０が無線信号を読み取った場合に、その無線信号に含まれる子機識別情報と、スタッフ呼出操作部１２が操作された際に生成されたスタッフ呼出信号に含まれる子機識別情報とが一致するか否かをインターフェース１１は判定する。両者が一致しているとインターフェース１１にて判定した場合には、インターフェース１１は、無線読み取り装置２０から入力した無線信号をナースコール親機１へ出力する。一方、両者が一致していないとインターフェース１１にて判定した場合には、単にベッド移動が行われただけであるとして、インターフェース１１は無線信号をナースコール親機１へ出力しない。
【００３０】
また、タイマーが計測した時間が所定時間以上となっても、インターフェース１１が無線読み取り装置２０から無線信号を入力しなかった場合（換言すると、無線読み取り装置２０が無線送信機３０から無線信号を読み取らなかった場合）には、単にスタッフ呼出操作部１２が操作されたものとして、インターフェース１１は、スタッフ呼出信号をナースコール親機１へ出力する。そして、ナースコール親機１の報知部３では医療従事者が他の医療従事者の応援を要請していることを示す報知が行われる。このとき、スタッフ呼出信号に含まれる子機識別情報は、第一の病室に設置されているナースコール子機のものである。
【００３１】
ナースコール親機１のインターフェース５が無線信号を入力すると、制御部２は、無線信号に含まれている子機識別情報および病室識別情報を抽出するとともに、記憶部４を参照して、抽出した病室識別情報に関連付けて記憶されている病室情報をもとに、その病室の定員およびその病室に入院している患者の人数が二人以上であるか否かを判定する。
【００３２】
そして、病室の定員および入院している患者の人数がともに２以上である場合、抽出した子機識別情報と同じ子機識別情報を含む無線信号を他の病室に設置されている無線読み取り装置２０から入力したか否かを判定する。
【００３３】
一方、病室が個室であったり、他の入院患者が居なかったりした場合には、病室の定員および入院している患者の人数がともに１となる。これは、病室内の患者が容体の急変以外の理由でベッドごと移動させられているケースや、病室内のベッドだけが病室外に運び出されたケースに該当する。また、病室に入院患者が居ない場合には、入院している患者の人数が０となる。これは、病室内のベッドだけが病室外に運びだされたケースに該当する。これらのケースでは、制御部２は処理を終了する。
【００３４】
患者をベッドごと第一の病室の外へ移動させた医療従事者は、その患者を個室または入院患者の居ない第二の病室へ運び入れる。このベッドが第二の病室の出入口を通過すると、ベッドに取り付けられている無線送信機３０に電源が供給され、無線送信機３０は無線信号を送信する（例えば、図４（Ｂ）を参照）。この無線信号に含まれる子機識別情報は、先ほど親機インターフェース５に入力した無線信号に含まれていた子機識別情報と同一であるから、抽出した子機識別情報と同じ子機識別情報を含む無線信号を第二の病室に設置されている無線読み取り装置２０から入力したと制御部２にて判定する。
【００３５】
すると、制御部２は記憶部４を参照して、第二の病室に設置されている無線読み取り装置２０から入力した無線信号に含まれる病室識別情報を抽出する。そして、制御部２は、病室識別情報により病室を特定したうえで医療従事者が他の医療従事者の応援を要請していることを報知部３により報知させる。この報知を把握した他の医療従事者は、移動先の病室に赴いて応援を行うことになる。
【００３６】
ここで、子機識別情報が一致しなかった場合には、その子機識別情報を含む無線信号は、他のベッドに取り付けられた無線送信機３０から送信されたものであるから別途判定および制御が行われる。
【００３７】
以上詳しく説明したように、本実施形態によれば、病室の定員および病室に入院している患者の人数を示す病室情報を病室毎に記憶しておき、ベッドに無線送信機３０を取り付け、ベッド近傍に他の医療従事者を呼び出すためのスタッフ呼出操作部１２を取り付けておく。また、無線送信機３０が病室の出入口を通過した際に無線信号を読み取る無線読み取り装置２０を出入口近傍に取り付けておく。そして、スタッフ呼出操作部１２が操作され、病室の定員および入院している患者の人数が二人以上の病室の出入口で無線読み取り装置２０が無線信号を読み取った後に、同じ無線送信機３０からの無線信号を他の病室の無線読み取り装置２０が読み取った場合に、後で無線送信機３０からの無線信号を受信した病室にて他の医療従事者の応援を要請していることをナースコール親機１で報知するようにしている。
【００３８】
これにより、他の患者が居るであろう病室から他の患者が居ない病室にベッドが移動し、かつ、移動前にスタッフ呼出操作部が操作された場合に、他の医療従事者の応援を要請する報知がナースコール親機１にて行われるので、容体が急変している患者の他に患者が居る病室から空いている病室に患者をベッドごと移動させる際に、適切に他の医療従事者の応援を要請することができる。
【００３９】
なお、前述した実施形態では、スタッフ呼出操作部１２は、インターフェース１１のタイマーが計測した所定時間内にベッドが病室を出た場合には、他の医療従事者が行くべき場所がベッドの行き先の病室であると判定され、ベッドが病室を出ないままインターフェース１１のタイマーが計測した時間が所定時間を経過した場合には、他の医療従事者が行くべき場所がその病室であると判定されているが、これに限定されない。例えば、その病室への応援を要請するためのスタッフ呼出操作部と、他の病室のへの応援を要請するためのスタッフ呼出操作部とを別々に設けるようにしても良い。
【００４０】
また、前述した実施形態では、ベッドを病室から運び出す医療従事者は、空いている病室を目視にて探しているが、これに限定されない。例えば、ベッドの動線上に表示装置を取り付け、この表示装置に病室情報として入院している患者の人数がゼロである病室の病室識別情報を表示するようにしても良い。ここで、ベッドの動線は、廊下であったり、病室の出入口であったりする。また、ベッドに表示装置を取り付けるようにしても良い。
【００４１】
また、前述した実施形態では、ベッドを移動先の病室へ移動させた時点でナースコール親機１にて報知を行うようにしているが、これに限定されない。例えば、スタッフ呼出操作部１２を操作した時点や、ベッドが移動元の病室から出た時点でナースコール親機１にて報知を行うようにしても良い。ここで、移動先の病室の場所についての情報は、ベッドが移動先の病室に入った時点で特定されるので、スタッフ呼出操作部１２が操作された時点や、ベッドが移動元の病室から出た時点では、報知部３は、ベッドに紐付いている子機識別情報や、他の医療従事者の応援が要請されていることを報知する。そして、他の医療従事者が赴くべき場所の表示については、ベッドが移動先の病室に入った時点で行われる。
【００４２】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４３】
１    ナースコール親機
２    制御部
３    報知部
４    記憶部
５    親機インターフェース
１０    呼出操作部
１１    インターフェース
１２    スタッフ呼出操作部
２０    無線読み取り装置
３０    無線送信機
【図１】
2017127344.tif 000003
【図２】
2017127344.tif 000004
【図３】
2017127344.tif 000005
【図４】
2017127344.tif 000006